【手続補正書】
【提出日】平成17年3月15日(2005.3.15)
【手続補正１】
【補正対象書類名】明細書
【補正対象項目名】特許請求の範囲
【補正方法】変更
【補正の内容】
【特許請求の範囲】
【請求項１】
波長が４４０ｎｍ以下の光源と、ＮＡが０．５５以上、焦点距離が１．８ｍｍ以上且つｄ線のアッベ数が９５．０以下である対物レンズとの間に配設される色収差補正用光学素子であって、
前記色収差補正用光学素子が、
少なくともｄ線のアッベ数が５５以上の凸レンズと、ｄ線のアッベ数が３５以下の凹レンズとを有すること
を特徴とする色収差補正用光学素子。
【請求項２】
波長が４４０ｎｍ以下の光源と、ＮＡが０．７０以上、焦点距離が１．４ｍｍ以上且つｄ線のアッベ数が９５．０以下である２枚のレンズで構成された対物レンズとの間に配設される色収差補正用光学素子であって、
前記色収差補正用光学素子が、
少なくともｄ線のアッベ数が５５以上の凸レンズと、ｄ線のアッベ数が３５以下の凹レンズとを有すること
を特徴とする色収差補正用光学素子。
【請求項３】
少なくとも波長が４４０ｎｍ以下の光源と、
ＮＡが０．５５以上、焦点距離が１．８ｍｍ以上且つｄ線のアッベ数が９５．０以下である対物レンズと、
前記光源と前記対物レンズとの間に配設された色収差補正用光学素子とを有する光学ピックアップ装置であって、
前記色収差補正用光学素子が、
少なくともｄ線のアッベ数が５５以上の凸レンズと、ｄ線のアッベ数が３５以下の凹レンズとを有すること
を特徴とする光学ピックアップ装置。
【請求項４】
少なくとも波長が４４０ｎｍ以下の光源と、
ＮＡが０．７０以上、焦点距離が１．４ｍｍ以上且つｄ線のアッベ数が９５．０以下である２枚のレンズで構成された対物レンズと、
前記光源と前記対物レンズとの間に配設された色収差補正用光学素子とを有する光学ピックアップ装置であって、
前記色収差補正用光学素子が、
少なくともｄ線のアッベ数が５５以上の凸レンズと、ｄ線のアッベ数が３５以下の凹レンズとを有すること
を特徴とする光学ピックアップ装置。
【請求項５】
前記色収差補正用光学素子が、前記光源から出射される出射光を平行光に変換するコリメータレンズであること
を特徴とする請求項３または請求項４に記載の光学ピックアップ装置。
【請求項６】
少なくとも波長が４４０ｎｍ以下の光源と、
前記光源からの出射光を光記録媒体に集光し、ＮＡが０．５５以上、焦点距離が１．８ｍｍ以上且つｄ線のアッベ数が９５．０以下である対物レンズと、
前記光源と前記対物レンズとの間に配設された色収差補正用光学素子とを有する光学ピックアップ装置と、
前記光学ピックアップ装置を前記光記録媒体のトラッキング方向に制御駆動する制御駆動手段とを有する光再生装置であって、
前記色収差補正用光学素子が、
少なくともｄ線のアッベ数が５５以上の凸レンズと、ｄ線のアッベ数が３５以下の凹レンズとを有すること
を特徴とする光再生装置。
【請求項７】
少なくとも波長が４４０ｎｍ以下の光源と、
前記光源からの出射光を光記録媒体に集光し、ＮＡが０．７０以上、焦点距離が１．４ｍｍ以上且つｄ線のアッベ数が９５．０以下である２枚のレンズで構成された対物レンズと、
前記光源と前記対物レンズとの間に配設された色収差補正用光学素子とを有する光学ピックアップ装置と、
前記光学ピックアップ装置を前記光記録媒体のトラッキング方向に制御駆動する制御駆動手段とを有する光再生装置であって、
前記色収差補正用光学素子が、
少なくともｄ線のアッベ数が５５以上の凸レンズと、ｄ線のアッベ数が３５以下の凹レンズとを有すること
を特徴とする光再生装置。
【請求項８】
前記色収差補正用光学素子が、前記光源から出射される出射光を平行光に変換するコリメータレンズであること
を特徴とする請求項６または請求項７に記載の光再生装置。
【請求項９】
少なくとも波長が４４０ｎｍ以下の光源と、
前記光源からの出射光を光記録媒体に集光し、ＮＡが０．５５以上、焦点距離が１．８ｍｍ以上且つｄ線のアッベ数が９５．０以下である対物レンズと、
前記光源と前記対物レンズとの間に配設された色収差補正用光学素子とを有する光学ピックアップ装置と、
前記光学ピックアップ装置を前記光記録媒体のトラッキング方向に制御駆動する制御駆動手段とを有する光記録再生装置であって、
前記色収差補正用光学素子が、
少なくともｄ線のアッベ数が５５以上の凸レンズと、ｄ線のアッベ数が３５以下の凹レンズとを有すること
を特徴とする光記録再生装置。
【請求項１０】
少なくとも波長が４４０ｎｍ以下の光源と、
前記光源からの出射光を光記録媒体に集光し、ＮＡが０．７０以上、焦点距離が１．４ｍｍ以上且つｄ線のアッベ数が９５．０以下である２枚のレンズで構成された対物レンズと、
前記光源と前記対物レンズとの間に配設された色収差補正用光学素子とを有する光学ピックアップ装置と、
前記光学ピックアップ装置を前記光記録媒体のトラッキング方向に制御駆動する制御駆動手段とを有する光記録再生装置であって、
前記色収差補正用光学素子が、
少なくともｄ線のアッベ数が５５以上の凸レンズと、ｄ線のアッベ数が３５以下の凹レンズとを有すること
を特徴とする光記録再生装置。
【請求項１１】
前記色収差補正用光学素子が、前記光源から出射される出射光を平行光に変換するコリメータレンズであること
を特徴とする請求項９または請求項１０に記載の光記録再生装置。
【請求項１２】
波長が４４０ｎｍ以下の光源と、ＮＡが０．５５以上、焦点距離が１．８ｍｍ以上且つｄ線のアッベ数が９５．０以下である対物レンズとの間に配設される色収差補正用光学素子であって、
前記色収差補正用光学素子が、
少なくとも凸レンズと凹レンズとを有して構成され、この凸レンズのｄ線のアッベ数は上記凹レンズのｄ線のアッベ数より大きく、上記凹レンズのｄ線のアッベ数が３５以下とされると共に、上記凸レンズと凹レンズの各々のｄ線のアッベ数の差が２０以上とされたこと
を特徴とする色収差補正用光学素子。
【請求項１３】
波長が４４０ｎｍ以下の光源と、ＮＡが０．７０以上、焦点距離が１．４ｍｍ以上且つｄ線のアッベ数が９５．０以下である２枚のレンズで構成された対物レンズとの間に配設される色収差補正用光学素子であって、
前記色収差補正用光学素子が、
少なくとも凸レンズと凹レンズとを有して構成され、この凸レンズのｄ線のアッベ数は上記凹レンズのｄ線のアッベ数より大きく、上記凹レンズのｄ線のアッベ数が３５以下とされると共に、上記凸レンズと凹レンズの各々のｄ線のアッベ数の差が２０以上とされたこと
を特徴とする色収差補正用光学素子。
【請求項１４】
少なくとも波長が４４０ｎｍ以下の光源と、
ＮＡが０．５５以上、焦点距離が１．８ｍｍ以上且つｄ線のアッベ数が９５．０以下である対物レンズと、
前記光源と前記対物レンズとの間に配設された色収差補正用光学素子とを有する光学ピックアップ装置であって、
前記色収差補正用光学素子が、
少なくとも凸レンズと凹レンズとを有して構成され、この凸レンズのｄ線のアッベ数は上記凹レンズのｄ線のアッベ数より大きく、上記凹レンズのｄ線のアッベ数が３５以下とされると共に、上記凸レンズと凹レンズの各々のｄ線のアッベ数の差が２０以上とされたこと
を特徴とする光学ピックアップ装置。
【請求項１５】
少なくとも波長が４４０ｎｍ以下の光源と、
ＮＡが０．７０以上、焦点距離が１．４ｍｍ以上且つｄ線のアッベ数が９５．０以下である２枚のレンズで構成された対物レンズと、
前記光源と前記対物レンズとの間に配設された色収差補正用光学素子とを有する光学ピックアップ装置であって、
前記色収差補正用光学素子が、
少なくとも凸レンズと凹レンズとを有して構成され、この凸レンズのｄ線のアッベ数は上記凹レンズのｄ線のアッベ数より大きく、上記凹レンズのｄ線のアッベ数が３５以下とされると共に、上記凸レンズと凹レンズの各々のｄ線のアッベ数の差が２０以上とされたこと
を特徴とする光学ピックアップ装置。
【請求項１６】
少なくとも波長が４４０ｎｍ以下の光源と、
前記光源からの出射光を光記録媒体に集光し、ＮＡが０．５５以上、焦点距離が１．８ｍｍ以上且つｄ線のアッベ数が９５．０以下である対物レンズと、
前記光源と前記対物レンズとの間に配設された色収差補正用光学素子とを有する光学ピックアップ装置と、
前記光学ピックアップ装置を前記光記録媒体のトラッキング方向に制御駆動する制御駆動手段とを有する光再生装置であって、
前記色収差補正用光学素子が、
少なくとも凸レンズと凹レンズとを有して構成され、この凸レンズのｄ線のアッベ数は上記凹レンズのｄ線のアッベ数より大きく、上記凹レンズのｄ線のアッベ数が３５以下とされると共に、上記凸レンズと凹レンズの各々のｄ線のアッベ数の差が２０以上とされたこと
を特徴とする光再生装置。
【請求項１７】
少なくとも波長が４４０ｎｍ以下の光源と、
前記光源からの出射光を光記録媒体に集光し、ＮＡが０．７０以上、焦点距離が１．４ｍｍ以上且つｄ線のアッベ数が９５．０以下である２枚のレンズで構成された対物レンズと、
前記光源と前記対物レンズとの間に配設された色収差補正用光学素子とを有する光学ピックアップ装置と、
前記光学ピックアップ装置を前記光記録媒体のトラッキング方向に制御駆動する制御駆動手段とを有する光再生装置であって、
前記色収差補正用光学素子が、
少なくとも凸レンズと凹レンズとを有して構成され、この凸レンズのｄ線のアッベ数は上記凹レンズのｄ線のアッベ数より大きく、上記凹レンズのｄ線のアッベ数が３５以下とされると共に、上記凸レンズと凹レンズの各々のｄ線のアッベ数の差が２０以上とされたこと
を特徴とする光再生装置。
【請求項１８】
少なくとも波長が４４０ｎｍ以下の光源と、
前記光源からの出射光を光記録媒体に集光し、ＮＡが０．５５以上、焦点距離が１．８ｍｍ以上且つｄ線のアッベ数が９５．０以下である対物レンズと、
前記光源と前記対物レンズとの間に配設された色収差補正用光学素子とを有する光学ピックアップ装置と、
前記光学ピックアップ装置を前記光記録媒体のトラッキング方向に制御駆動する制御駆動手段とを有する光記録再生装置であって、
前記色収差補正用光学素子が、
少なくとも凸レンズと凹レンズとを有して構成され、この凸レンズのｄ線のアッベ数は上記凹レンズのｄ線のアッベ数より大きく、上記凹レンズのｄ線のアッベ数が３５以下とされると共に、上記凸レンズと凹レンズの各々のｄ線のアッベ数の差が２０以上とされたこと
を特徴とする光記録再生装置。
【請求項１９】
少なくとも波長が４４０ｎｍ以下の光源と、
前記光源からの出射光を光記録媒体に集光し、ＮＡが０．７０以上、焦点距離が１．４ｍｍ以上且つｄ線のアッベ数が９５．０以下である２枚のレンズで構成された対物レンズと、
前記光源と前記対物レンズとの間に配設された色収差補正用光学素子とを有する光学ピックアップ装置と、
前記光学ピックアップ装置を前記光記録媒体のトラッキング方向に制御駆動する制御駆動手段とを有する光記録再生装置であって、
前記色収差補正用光学素子が、
少なくとも凸レンズと凹レンズとを有して構成され、この凸レンズのｄ線のアッベ数は上記凹レンズのｄ線のアッベ数より大きく、上記凹レンズのｄ線のアッベ数が３５以下とされると共に、上記凸レンズと凹レンズの各々のｄ線のアッベ数の差が２０以上とされたこと
を特徴とする光記録再生装置。